(57)【特許請求の範囲】
【請求項１】
サイドフレームと、該サイドフレーム上の長方形状の天板と、該天板上の会計・清算設備とよりなるチェックアウトカウンタにおいて、
該天板を、客が進入する側の端面と長手方向の端面との間に、角と認識されない程度に大きい円弧部を有し、且つ、客が進入する側に、他の天板部より低い進入側天板部を有し、進入側天板部と上記他の天板部との間にスロープ部を有する構成としたことを特徴とするチェックアウトカウンタ。
【請求項２】
サイドフレームと、該サイドフレーム上の天板と、該天板上の会計・清算設備とよりなるチェックアウトカウンタにおいて、
該天板を、長方形状であり、客が進入する側の端面と長手方向の端面との間に、角と認識されない程度に大きい円弧部を有し、且つ、客が進入する側に、他の天板部より低い進入側天板部を有し、進入側天板部と上記他の天板部との間にスロープ部を有する構成とし、
該サイドフレームを、その側面が、客が進入する側寄りの進入側寄り側面と、中央の中央側面と、客が退出する側寄りの退出側寄り側面とよりなる構成とし、
該中央側面は、天板の長手方向に沿う長手方向端面と略同じ部位にあって該長手方向端面と平行な面であり、
該進入側寄り側面は、上記中央側面の端と客が進入する側の位置で上記長手方向端面より内側に後退した位置とを結ぶ、該天板の長手方向端面に対して傾斜した面であり、
該退出側寄り側面は、上記中央側面の端と客が退出する側の位置で上記長手方向端面より内側に後退した位置とを結ぶ、該天板の長手方向端面に対して傾斜した面である構成としたことを特徴とするチェックアウトカウンタ。
【請求項３】
該サイドフレームは、その側面の下部寄りの部分にゴム製の帯が取り付けられた構成としたことを特徴とする請求項２記載のチェックアウトカウンタ。
【請求項４】
サイドフレームと、該サイドフレーム上の天板と、該天板上の会計・清算設備とよりなるチェックアウトカウンタにおいて、
該天板を、長方形状であり、客が進入する側の端面と長手方向の端面との間に、角と認識されない程度に大きい円弧部を有し、且つ、客が進入する側に、他の天板部より低い進入側天板部を有し、進入側天板部と上記他の天板部との間にスロープ部を有する構成とし、
該サイドフレームを、その側面が、客が進入する側寄りの進入側寄り側面と、中央の中央側面と、客が退出する側寄りの退出側寄り側面とよりなる構成とし、
該中央側面は、天板の長手方向に沿う長手方向端面と略同じ部位にあって該長手方向端面と平行な面であり、
該進入側寄り側面は、上記中央側面の端と客が進入する側の位置で上記長手方向端面より内側に後退した位置とを結ぶ、該天板の長手方向端面に対して傾斜した面であり、
該退出側寄り側面は、上記中央側面の端と客が退出する側の位置で上記長手方向端面より内側に後退した位置とを結ぶ、該天板の長手方向端面に対して傾斜した面であり、
且つ、該サイドフレームは、上記天板と固定してあるサイドフレーム本体と、該サイドフレーム本体とは別の部品であり、該サイドフレーム本体のうち客の退出側に組み合わされるサイドフレーム分割体とよりなる構成としたことを特徴とするチェックアウトカウンタ。
【請求項５】
サイドフレームと、該サイドフレーム上の長方形状の天板と、該天板上の会計・清算設備とよりなるチェックアウトカウンタにおいて、
該天板を、客が進入する側の端面と長手方向の端面との間に、角と認識されない程度に大きい円弧部を有し、且つ、客が進入する側に、他の天板部より低い進入側天板部を有し、進入側天板部と上記他の天板部との間にスロープ部を有する構成とし、
且つ、該会計・清算設備のうちの金額表示部を車椅子使用者の視線に合わせた高さに設けた構成としたことを特徴とするチェックアウトカウンタ。
【請求項６】
サイドフレームと、該サイドフレーム上の長方形状の天板と、該天板上の会計・清算設備とよりなるチェックアウトカウンタにおいて、
該天板を、客が進入する側の端面と長手方向の端面との間に、角と認識されない程度に大きい円弧部を有し、且つ、客が進入する側に、他の天板部より低い進入側天板部を有し、進入側天板部と上記他の天板部との間にスロープ部を有する構成とし、
且つ、該会計・清算設備のうちの釣銭台を車椅子使用者に合わせた高さに設けた構成としたことを特徴とするチェックアウトカウンタ。
【請求項７】
請求項１乃至請求項６のうちいずれか一項記載のチェックアウトカウンタを配した構成としたことを特徴とするチェックアウト設備。
【発明の詳細な説明】
【０００１】
【発明の属する技術分野】
本発明はスーパーマーケット等の店舗に設置されるチェックアウトカウンタに関する。
従来は、スーパーマーケット等の店舗に設置されるチェックアウトカウンタは健常者のみを考慮した設計となっていた。近年、スーパーマーケット等の店舗について、車椅子を使用する障害者である客が円滑に利用できるように改善がなされつつある。よって、チェックアウトカウンタについても、車椅子を使用する障害者が円滑に利用できるような改善が求められている。
【０００２】
【従来の技術】
図６は、従来のチェックアウトカウンタ１０を示す。チェックアウトカウンタ１０は、サイドフレーム１１と、サイドフレーム１１上の長方形状の天板１２と、天板１２上の会計・清算設備１３とよりなる構成である。このチェックアウトカウンタ１０は健常者である客のみを考慮した設計であり、天板１２のコーナ部１２ａには、当たっても怪我しない程度の通常の丸みがついている。サイドフレーム１１の側面１１ａは、図７に併せて示すように、天板１２の縁１２ｂと平行であり、天板１２の縁１２ｂと略同じ位置にある。
【０００３】
このチェックアウトカウンタ１０は、通常は、図７（Ａ）に示すように設置される。チェックアウトカウンタ１０と建物の壁１５との間に、健常者２０が通ることができるだけの幅Ｗ１のレーン１６が形成されている。
【０００４】
【発明が解決しようとする課題】
車椅子２１を使用する客２２が円滑に通ることができるためには、図７（Ｂ）に示すように、上記の幅Ｗ１より数１０ｃｍ広いレーン１７が必要である。このため、チェックアウト設備を車椅子２１を使用する客２２が利用することができるようにするためには、図７（Ｂ）に示すように、チェックアウトカウンタ１０を壁１５から通常の場合より数１０ｃｍ離して設置する必要がある。ここで、チェックアウトカウンタ１０は車椅子使用者を考慮していない構成であるため、車椅子使用者が安心して利用できるようにするためには、レーンの幅を車椅子２１の幅より約２００ｍｍ程度広くしてレーンの幅に余裕を持たせる必要がある。この約２００ｍｍを「余裕幅」と定義する。一方、スーパーマーケット等の店舗においては、チェックアウト設備のための面積は限られるのが通常である。よって、車椅子を使用する客が安心感をもって円滑に利用することができるようにすると、設けることができるレーンの数が少なくなってしまう。
【０００５】
また、チェックアウトカウンタ１０は健常者のみを考慮した設計であり、車椅子を使用する客にとっては、▲１▼レーンに入るときにチェックアウトカウンタ１０にぶつからないように、図７（Ｂ）中、線２５で示すように外側に大回りをする必要がある、▲２▼買物かごを天板１２に載せにくい、▲３▼会計・清算設備の金額表示部が見にくい、▲４▼釣銭の授受がしにくい等の問題があった。
【０００６】
そこで、本発明は、上記課題を解決したチェックアウトカウンタ及びこれを配したチェックアウト設備を提供することを目的とする。
【０００７】
【課題を解決するための手段】
上記課題を解決するために、請求項１の発明は、サイドフレームと、該サイドフレーム上の長方形状の天板と、該天板上の会計・清算設備とよりなるチェックアウトカウンタにおいて、該天板を、客が進入する側の端面と長手方向の端面との間に、角と認識されない程度に大きい円弧部を有し、且つ、客が進入する側に、他の天板部より低い進入側天板部を有し、進入側天板部と上記他の天板部との間にスロープ部を有する構成としたものである。
【０００８】
請求項２の発明は、サイドフレームと、該サイドフレーム上の天板と、該天板上の会計・清算設備とよりなるチェックアウトカウンタにおいて、
該天板を、長方形状であり、客が進入する側の端面と長手方向の端面との間に、角と認識されない程度に大きい円弧部を有し、且つ、客が進入する側に、他の天板部より低い進入側天板部を有し、進入側天板部と上記他の天板部との間にスロープ部を有する構成とし、
該サイドフレームを、その側面が、客が進入する側寄りの進入側寄り側面と、中央の中央側面と、客が退出する側寄りの退出側寄り側面とよりなる構成とし、
該中央側面は、天板の長手方向に沿う長手方向端面と略同じ部位にあって該長手方向端面と平行な面であり、
該進入側寄り側面は、上記中央側面の端と客が進入する側の位置で上記長手方向端面より内側に後退した位置とを結ぶ、該天板の長手方向端面に対して傾斜した面であり、
該退出側寄り側面は、上記中央側面の端と客が退出する側の位置で上記長手方向端面より内側に後退した位置とを結ぶ、該天板の長手方向端面に対して傾斜した面である構成としたものである。
【０００９】
請求項３の発明は、請求項２において、サイドフレームは、その側面の下部寄りの部分にゴム製の帯が取り付けられた構成としたものである。
請求項４の発明は、サイドフレームと、該サイドフレーム上の天板と、該天板上の会計・清算設備とよりなるチェックアウトカウンタにおいて、
該天板を、長方形状であり、客が進入する側の端面と長手方向の端面との間に、角と認識されない程度に大きい円弧部を有し、且つ、客が進入する側に、他の天板部より低い進入側天板部を有し、進入側天板部と上記他の天板部との間にスロープ部を有する構成とし、
該サイドフレームを、その側面が、客が進入する側寄りの進入側寄り側面と、中央の中央側面と、客が退出する側寄りの退出側寄り側面とよりなる構成とし、
該中央側面は、天板の長手方向に沿う長手方向端面と略同じ部位にあって該長手方向端面と平行な面であり、
該進入側寄り側面は、上記中央側面の端と客が進入する側の位置で上記長手方向端面より内側に後退した位置とを結ぶ、該天板の長手方向端面に対して傾斜した面であり、
該退出側寄り側面は、上記中央側面の端と客が退出する側の位置で上記長手方向端面より内側に後退した位置とを結ぶ、該天板の長手方向端面に対して傾斜した面であり、
且つ、該サイドフレームは、上記天板と固定してあるサイドフレーム本体と、該サイドフレーム本体とは別の部品であり、該サイドフレーム本体のうち客の退出側に組み合わされるサイドフレーム分割体とよりなる構成としたものである。
【００１０】
請求項５の発明は、サイドフレームと、該サイドフレーム上の長方形状の天板と、該天板上の会計・清算設備とよりなるチェックアウトカウンタにおいて、
該天板を、客が進入する側の端面と長手方向の端面との間に、角と認識されない程度に大きい円弧部を有し、且つ、客が進入する側に、他の天板部より低い進入側天板部を有し、進入側天板部と上記他の天板部との間にスロープ部を有する構成とし、
且つ、該該会計・清算設備のうちの金額表示部を車椅子使用者の視線に合わせた高さに設けた構成としたものである。
請求項６の発明は、サイドフレームと、該サイドフレーム上の長方形状の天板と、該天板上の会計・清算設備とよりなるチェックアウトカウンタにおいて、
該天板を、客が進入する側の端面と長手方向の端面との間に、角と認識されない程度に大きい円弧部を有し、且つ、客が進入する側に、他の天板部より低い進入側天板部を有し、進入側天板部と上記他の天板部との間にスロープ部を有する構成とし、
且つ、該会計・清算設備のうちの釣銭台を車椅子使用者に合わせた高さに設けた構成としたものである。
【００１１】
請求項７の発明は、請求項１乃至請求項６のうちいずれか一項記載のチェックアウトカウンタを配した構成としたものである。
【００１２】
【発明の実施の形態】
図１及び図２（Ａ）乃至（Ｃ）は本発明の第１実施例になるチェックアウトカウンタ３０を示す。チェックアウトカウンタ３０は、サイドフレーム３１と、サイドフレーム３１上の長方形状の天板３２と、天板３２上の会計・清算設備３３とよりなる構成であり、以下に説明するように、車椅子使用者が利用することを考慮した構造を有する。
【００１３】
天板３２は、客が進入する側に、客が進入する側の端面３２ａと長手方向に沿う端面３２ｂとの間を結ぶ、半径Ｒが２０ｃｍ程度の円弧部３２ｃを有する。この円弧部３２ｃは後述するレーン４２の入口４２ａに臨んで位置している。この円弧部３２ｃは、角と認識されない程度に大きい円弧であり、車椅子使用者がレーン４２に入るときに天板３２の角にぶつからないように外側に大回りをすることが必要でないように、即ち、車椅子使用者が普通にレーン４２に入ることが可能であるように機能する。なお、天板３２の高さは車椅子２１の高さよりも少し高い位置にあり、車椅子２１は天板３２の下側に入り込める。
【００１４】
サイドフレーム３１の側面３１ａは、客が進入する側寄りの進入側寄り側面３１ａ１と、中央の中央側面３１ａ２と、客が退出する側寄りの退出側寄り側面３１ａ３とよりなる。中央側面３１ａ２は、天板３２の長手方向端面３２ｂと略同じ部位にあって長手方向端面３２ｂと平行な面であり、チェックアウトカウンタ３０の長手方向上、寸法ｂの幅を有する。進入側寄り側面３１ａ１は、中央側面３１ａ２の端と客が進入する側の位置で天板３２の端面３２ｂより内側に寸法ａ後退した位置とを結ぶ、天板３２の端面３２ｂに対して傾斜した面である。退出側寄り側面３１ａ３は、中央側面３１ａ２の端と客が退出する側の位置で天板３２の端面３２ｂより内側に寸法ａ後退した位置とを結ぶ、天板３２の端面３２ｂに対して傾斜した面である。ここで、寸法ａは側面を意識的に後退させるための寸法であり、約２０ｃｍ程度と大きい。
【００１５】
サイドフレーム３１の側面３１ａは、図２（Ａ）に示すように、天板３２の長手方向端面３２ｂが上側である向きで、チェックアウトカウンタ３０の上方からみて、頂上が平らな略山形の形状をなしている。平面である中央側面３１ａ２は、レーン４２に入った車椅子使用者が目で見たときに、後述するレーン４２の中央部４２ｂの幅が車椅子が通過可能の幅であることの確認をし易くするように機能する。
【００１６】
また、サイドフレーム３１の側面３１ａのうち下端寄りの部分には、車椅子がぶつかっても傷が付かないように且つチェックアウトカウンタ３０に衝撃を与えないようにゴム製の帯３４が設けてある。
会計・清算設備３３は、品物のバーコードを読み取るスキャナ３３ａと、チェッカが入力する操作をする多項目キーボード３３ｂと、顧客用金額表示部３３ｃと、釣銭台３３ｄとよりなる。顧客用金額表示部３３ｃは、従来のチェックアウトカウンタにおける顧客用金額表示部の高さより低い高さ位置Ｈ１、即ち車椅子使用者の視線に合わせた高さに設けてある。釣銭台３３ｄは、従来のチェックアウトカウンタにおける釣銭台の高さより低い高さ位置Ｈ２、即ち車椅子使用者に合わせた高さに設けてある。
【００１７】
上記構成のチェックアウトカウンタ３０は、図３に示すように設置されて、チェックアウト設備４０が構築される。チェックアウトカウンタ３０−１と建物の壁４１との間、及び隣合うチェックアウトカウンタ３０−１、３０−２の間には、幅がＷ３のレーン４２が形成されている。
チェックアウトカウンタ３０が上記のように車椅子使用者が利用することを考慮した構造となっているため、レーン４２の幅Ｗ３は、図７（Ａ）のレーン幅Ｗ１よりは広いけれども図７（Ｂ）のレーン幅Ｗ２よりは狭い寸法となっている。レーン４２の幅Ｗ３がレーン幅Ｗ２より狭くできる理由については後述する。よって、スーパーマーケット等の店舗内の限られた面積の部分に、従来よりも多くのレーンを設けることが出来る。
【００１８】
なお、車椅子２１にとってみると、即ち、天板３２の下側に入り込める車椅子２１が走行可能な領域についてみると、レーン４２は、中央部４２ｂが最も狭く幅Ｗ３であり、中央部４２ｂから客が進入する入口の方向に離れるにつれて徐々に幅広となり、入口４２ａでは幅Ｗ３より約２０ｃｍ広い幅Ｗ４であり、且つ、同じく中央部から客が退出する出口の方向に離れるにつれて徐々に幅広となり、出口４２ｃでは幅Ｗ３より約２０ｃｍ広い幅Ｗ４である形状となっている。
【００１９】
ここで、前記の余裕幅は狭い幅Ｗ３の部分に必要とされるものであり、且つ、この狭い幅Ｗ３の部分はレーン４２の長手方向上中央の部分に限られているため、余裕幅がレーンの全長に亘って必要とされる従来のチェックアウトカウンタ３０に比べて、余裕幅は少なくて済む、例えば、従来の約半分の約１０ｃｍで足りる。車椅子使用者がレーン４２を通るときにぶつからないように注意するのは、中央の部分だけでよいからである。このように、余裕幅が短いため、余裕幅が短い分、レーン４２の幅Ｗ３はレーン幅Ｗ２よりは狭い寸法となっている。
【００２０】
次に、車椅子使用者がチェックアウト設備４０を使用するときの状況を、車椅子使用者の立場から説明する。
（１）進入
チェックアウトカウンタ３０の進入側寄り側面３１ａ１は内側に切り込まれており、レーン４２の入口４２ａは幅Ｗ４と広く、且つ、天板３２についてはレーン４２の入口４２ａには半径Ｒが２０ｃｍ程度の円弧部３２ｃが臨んでいるため、買物かごをもった車椅子使用者は、特に外側に大回りをすることはなく、線５０で示す通常のルートでレーン４２内に入ることが出来る。
【００２１】
必要に応じて車椅子２１の車輪を天板３２の下側に入れて、車椅子２１を天板３２に近づけることが可能であるため、品物が入っている買物かごを天板３２上に載せる作業はし易い。
（２）進行
車椅子使用者は、目で見て中央側面３１ａ２と建物の壁４と間隔が車椅子が通過可能の幅であることを確認する。ここで、中央側面が無く中央が尖っている角部である場合には、この角部と建物の壁４と間隔が車椅子が通過可能の幅であることを確認することはしにくい。中央側面３１ａ２はレーン４２の長さ方向上幅ｂを有する平面であるため、上記の確認は、中央側面が無く中央が尖っている角部である場合に比べてし易い。よって、車椅子使用者は、安心感をもって車椅子を進めることが出来る。
【００２２】
車椅子使用者は、会計・清算設備３３の横を通って中央部４２ｂを通り過ぎて出口４２ｃ側に出る。
ここで、車椅子２１がサイドフレーム３１にぶつかっても車椅子２１はゴム製の帯３４に当たることになり、サイドフレーム３１に傷を付ける虞れはない。よって、車椅子使用者は、サイドフレーム３１を傷を付けないという安心感をもってレーン４２内を移動することができる。
【００２３】
（３）会計・清算
顧客用金額表示部３３ｃは、従来のチェックアウトカウンタにおける顧客用金額表示部の高さより低い高さ位置Ｈ１、即ち車椅子使用者の視線に合わせた高さに設けてあるため、車椅子使用者は、背伸び等をせずとも顧客用金額表示部３３ｃの表示を楽に見ることが可能である。よって、購入した品物の代金の確認をすることが出来る。
【００２４】
釣銭台３３ｄは、従来のチェックアウトカウンタにおける釣銭台の高さより低い高さ位置Ｈ２、即ち車椅子使用者に合わせた高さに設けてあるため、車椅子使用者は、背伸び等をせずとも釣銭台３３ｄに手を延ばすことが出来る。よって、釣銭の授受を楽に出来る。
（４）退出
チェックアウトカウンタ３０の出口側寄り側面３１ａ３は内側に切り込まれており、車椅子使用者は、必要に応じて車椅子２１の車輪を天板３２の下側に入れて、車椅子２１を天板３２に近づけることが可能であるため、会計が済んだ品物が入って天板３２上に載っている買物かごを手元に引き寄せて車椅子２１の台に載せる作業はし易い。
【００２５】
レーン４２の出口４２ｃは幅Ｗ４と広いため、車椅子使用者は、楽にレーン４２より退出することが出来る。
なお、上記のチェックアウト設備４０は、図３に示すように、健常者である客も従来と同じく使用することが可能である。
次に、本発明の別の実施例について説明する。
【００２６】
図４は本発明の第２実施例になるチェックアウトカウンタ３０Ａを示す。チェックアウトカウンタ３０Ａは、天板のうちの入口側の部分を除いて図１のチェックアウトカウンタ３０と同じである。図４中、図１に示す構成部分と同じ部分には同じ符号を付し、その説明は省略する。
天板３２Ａは、客が進入する側に、天板部３２Ａｄより一段下がっている進入側天板部３２Ａｅを有し、この進入側天板部３２Ａｅと天板部３２Ａｄとの間が、スロープ部３２Ａｆでつながっている構成を有する。
【００２７】
このチェックアウトカウンタ３０Ａは、車椅子使用者は、品物が入っている買物かごを進入側天板部３２Ａｅ上に載せる作業はし易い。なお、チェッカは、会計をする場合には、進入側天板部３２Ａｅ上に載っている買物かごを単に引き寄せれば、買物かごはスロープ部３２Ａｆを滑り上がり、天板部３２Ａｄ上に到り、品物を取り上げて会計ができる状態になる。よって、チェッカの作業は少しもしにくくならない。
【００２８】
図５は本発明の第３実施例になるチェックアウトカウンタ３０Ｂを示す。チェックアウトカウンタ３０Ｂは、サイドフレームの部分を除いて図１のチェックアウトカウンタ３０と同じである。図５中、図１に示す構成部分と同じ部分には同じ符号を付し、その説明は省略する。
サイドフレーム３１Ｂは、天板３２と固定してあるサイドフレーム本体３１Ｂ−１と、サイドフレーム本体３１Ｂ−１とは別の部品であるサイドフレーム分割体３１Ｂ−２とよりなる構成である。サイドフレーム分割体３１Ｂ−２は、サイドフレーム本体３１Ｂ−１のうち客の退出側に組み合わされる。
【００２９】
チェックアウトカウンタ３０Ｂは、サイドフレーム本体３１Ｂ−１が付いているチェックアウトカウンタ３０Ｂ１に、サイドフレーム分割体３１Ｂ−２を組み合わせて構築される。チェックアウトカウンタ３０Ｂ１はチェックアウトカウンタ３０Ｂ全体の重量より軽く、よって、チェックアウトカウンタ３０Ｂの搬入、設置はし易い。また、設置されているチェックアウトカウンタ３０Ｂを搬出する場合にも、サイドフレーム分割体３１Ｂ−２の部分を先に取り外すことによって、搬出も容易に行われる。
【００３０】
また、チェックアウトカウンタ３０Ｂからサイドフレーム分割体３１Ｂ−２を取り外して、チェックアウトカウンタ３０Ｂをチェックアウトカウンタ３０Ｂ１に変更して使用することも可能である。サイドフレーム本体３１Ｂ−１は天板３２の中心を含んで、天板３２の全長のうち３分の２の部分を支持するため、安定している。
【００３１】
上記構成のチェックアウトカウンタ３０Ａ，３０Ｂも、図３に示すと同様に設置されて、チェックアウト設備が構築される。
【００３２】
【発明の効果】
以上説明したように、請求項１の発明によれば、天板のうち客が進入する側の端面と長手方向の端面との間に、角と認識されない程度に大きい円弧部を有する構成としたため、車椅子使用者がレーンに入るときに天板の角にぶつからないように外側に大回りをすることが必要でないようにすることが出来る。即ち、車椅子使用者が普通にレーンに入ることが可能であるようにすることが出来る。
【００３３】
しかも、天板を、客が進入する側に、他の天板部より低い進入側天板部を有し、進入側天板部と上記他の天板部との間にスロープ部を有する構成としため、車椅子使用者が、品物が入っている買物かごを進入側天板部上に載せる作業をし易くできる。また、チェッカが会計をする場合には、進入側天板部上に載っている買物かごを単に引き寄せれば、買物かごはスロープ部を滑り上がり、他の天板部上に到り、品物を取り上げて会計ができる状態になるので、チェッカの作業は少しもしにくくならないようにすることが出来る。
【００３４】
請求項２の発明によれば、サイドフレームの進入側寄り側面は天板の長手方向端面より内側に切り込まれているため、レーンの入口を幅広に出来、買物かごをもった車椅子使用者が普通にレーンに入ることが可能であるようにすることが出来る。また、必要に応じて車椅子の車輪を天板の下側に入れて、車椅子を天板に近づけることが可能となり、よって、品物が入っている買物かごを天板上に載せる作業がし易いように出来る。
【００３５】
また、サイドフレームの退出側寄り側面は天板の長手方向端面より内側に切り込まれているため、レーンの出口を幅広に出来、車椅子使用者が退出することをし易く出来る。また、また、必要に応じて車椅子の車輪を天板の下側に入れて、車椅子を天板に近づけることが可能となり、よって、会計を済ませた品物が入って天板上の買物かごを手元に引き寄せて車椅子の台に載せる作業がし易いように出来る。
【００３６】
また、中央側面は、天板の長手方向に沿う長手方向端面と略同じ部位にあって長手方向端面と平行な面であるため、レーンのうち最も狭い部分を自分の載っている車椅子が通れることの確認を、中央側面が無く中央が尖っている角部である場合に比べて容易に行うことが出来る。よって、車椅子使用者は、安心感をもって車椅子を進めることが出来る。
【００３７】
また、サイドフレームの進入側寄り側面が天板の長手方向端面より内側に切り込まれており、サイドフレームの退出側寄り側面が天板の長手方向端面より内側に切り込まれており、且つ、中央側面が天板の長手方向に沿う長手方向端面と略同じ部位にあって長手方向端面と平行な面である構成であるため、側面が全長に亘って天板の長手方向端面と平行である従来のチェックアウトカウンタを並べて配置する場合に比べて、余裕幅を小さく出来、よってレーンの幅を狭くして設置することが出来る。
【００３８】
請求項３の発明によれば、サイドフレームは、その側面の下部寄りの部分にゴム製の帯が取り付けられた構成であるため、車椅子がサイドフレームにぶつかっても車椅子はゴム製の帯に当たることになり、サイドフレームに傷を付ける虞れはない。よって、車椅子使用者は、サイドフレームを傷を付けないという安心感をもってレーン内を移動することが出来る。
【００３９】
請求項４の発明によれば、請求項２の発明によって得られる効果と同じ効果を有する。また、請求項４の発明によれば、サイドフレームは、天板と固定してあるサイドフレーム本体と、サイドフレーム本体とは別の部品であり、サイドフレーム本体のうち客の退出側に組み合わされるサイドフレーム分割体とよりなる構成としたため、チェックアウトカウンタの設置作業及びチェックアウトカウンタの態様を変更する作業を容易に行うことが出来る。
【００４０】
請求項５の発明によれば、天板上の会計・清算設備のうちの金額表示部を車椅子使用者の視線に合わせた高さに設けた構成としたため、車椅子使用者は、背伸び等をせずとも顧客用金額表示部の表示を楽に見ることが出来、購入した品物の代金の確認をすることが出来る。
請求項６の発明によれば、天板上の会計・清算設備のうちの釣銭台を車椅子使用者に合わせた高さに設けた構成としたため、車椅子使用者は、背伸び等をせずとも釣銭台に手を延ばすことが出来、よって、釣銭の授受を楽に出来る。
【００４１】
請求項７の発明によれば、請求項１乃至請求項６のうちいずれか一項記載のチェックアウトカウンタを配した構成としたため、余裕幅を小さく出来、よってレーンの幅を出来るだけ狭くして、即ち、限られた面積（長さ）の部分に設置できるチェックアウトカウンタの数を無用に減らさずに、しかも、車椅子使用者が安心感をもって利用出来、且つ、健常者も利用出来るチェックアウト設備を実現できる。
【図面の簡単な説明】
【図１】本発明の第１実施例になるチェックアウトカウンタの斜視図である。
【図２】図１のチェックアウトカウンタを示す図である。
【図３】図１及び図２のチェックアウトカウンタを設置してなるチェックアウト設備及び車椅子使用者がこのチェックアウト設備を使用するときの状態を示す図である。
【図４】本発明の第２実施例になるチェックアウトカウンタの斜視図である。
【図５】本発明の第５実施例になるチェックアウトカウンタの斜視図である。
【図６】従来のチェックアウトカウンタを示す斜視図である。
【図７】図６のチェックアウトカウンタを使用したチェックアウト設備を示す図である。
【符号の説明】
３０、３０Ａ，３０Ｂ  チェックアウトカウンタ
３１，３１Ｂ  サイドフレーム
３１ａ  側面
３１ａ１  進入側寄り側面
３１ａ２  中央側面
３１ａ２  退出側寄り側面
３１Ｂ−１  サイドフレーム本体
３１Ｂ−２  サイドフレーム分割体
３２、３２Ａ  天板
３２ａ  客が進入する側の端面
３２ｂ  長手方向に沿う端面
３２ｃ  半径Ｒが２０ｃｍ程度の円弧部
３２Ａｄ  天板部
３２Ａｅ  進入側天板部
３２Ａｆ  スロープ部
３３  会計・清算設備
３３ａ  スキャナ
３３ｂ  多項目キーボード
３３ｃ  顧客用金額表示部
３３ｄ  釣銭台
３４  ゴム製の帯
４１  建物の壁
４２  レーン
４２ａ  入口
４２ｂ  中央部
４２ｃ  出口
【図１】
0004021971.tif 000002
【図２】
0004021971.tif 000003
【図３】
0004021971.tif 000004
【図４】
0004021971.tif 000005
【図５】
0004021971.tif 000006
【図６】
0004021971.tif 000007
【図７】
0004021971.tif 000008